(57)【要約】【課題】薄型化と共に狭額縁化が可能な表示装置を提供する。【解決手段】表示パネルと、前記表示パネルの背面を覆うと共に、周縁部に複数の第１ねじ孔を有する後部筐体と、前記表示パネルの前面周縁部を覆う前部、前記表示パネルの側面を覆う側部、および前記後部筐体の周縁部を覆う後部を有すると共に、前記後部に複数の第２ねじ孔を有し、前記第１ねじ孔と前記第２ねじ孔とが交互に配置されている枠と、前記枠の後部および前記後部筐体を覆うと共に、前記第１ねじ孔および前記第２ねじ孔に整合する第３ねじ孔を有する背面板とを備えた表示装置。【選択図】図３
2013011676.tif 000002
【特許請求の範囲】
【請求項１】
表示パネルと、
前記表示パネルの背面を覆うと共に、周縁部に複数の第１ねじ孔を有する後部筐体と、
前記表示パネルの前面周縁部を覆う前部、前記表示パネルの側面を覆う側部、および前記後部筐体の周縁部を覆う後部を有すると共に、前記後部に複数の第２ねじ孔を有し、前記第１ねじ孔と前記第２ねじ孔とが交互に配置されている枠と、
前記枠の後部および前記後部筐体を覆うと共に、前記第１ねじ孔および前記第２ねじ孔に整合する第３ねじ孔を有する背面板と
を備えた表示装置。
【請求項２】
前記枠は、複数の分割枠を有し、
前記複数の分割枠の各々は、前記前部，前記側部および前記後部により矩形の三辺をなす断面形状を有する
請求項１記載の表示装置。
【請求項３】
前記後部筐体の端部と前記枠の後部の内面との間に逃げが設けられている
請求項２記載の表示装置。
【請求項４】
前記後部筐体は、前記第１ねじ孔が設けられた隆起部と、前記枠の後部の前記第２ねじ孔の位置に設けられた切欠部とを有し、
前記枠の後部は、前記後部筐体の隆起部の位置に切欠部を有する
請求項１記載の表示装置。
【請求項５】
前記第１ねじ孔および前記第２ねじ孔は、一直線上に交互に配置されている
請求項１記載の表示装置。
【発明の詳細な説明】
【技術分野】
【０００１】
本開示は、テレビジョン装置などの表示装置に関する。
【背景技術】
【０００２】
テレビジョン装置などの表示装置に関して、薄型化または狭額縁化が追求されている。例えば特許文献１では、断面Ｌ字形の固定具を用い、Ｌ字の一方の面で表示パネル部の表示面の外周側を押さえ、Ｌ字の他方の面とパネルシャーシ部との間に表示パネルを挟み込むことにより薄型化を図っている。また、例えば特許文献２では、狭額縁化のために、前キャビネットの側面に爪フックを設け、この爪フックを用いて前キャビネットをベゼルの外側に係止している。
【先行技術文献】
【特許文献】
【０００３】
【特許文献１】特開２０１０−１９７９７４号公報
【特許文献２】特開２００７−４２５３７号公報
【発明の概要】
【発明が解決しようとする課題】
【０００４】
しかしながら、特許文献１では、表示パネル部の表示面の外周側に固定具を取り付けるスペースが必要となるので、狭額縁化は難しかった。特許文献２では、前キャビネットの爪フックの外側に突出部を設け、爪フックと突出部との間の隙間に盆状の後キャビネットの端部を挿入するようにしているが、後キャビネットの奥行きが大きく、薄型化には限界があった。このように従来では、薄型化または狭額縁化のいずれか一方のみしか実現できておらず、薄型化と狭額縁化とを両立させることは極めて困難であった。
【０００５】
本開示の目的は、薄型化と共に狭額縁化が可能な表示装置を提供することにある。
【課題を解決するための手段】
【０００６】
本開示の表示装置は、以下の（Ａ）〜（Ｄ）の構成要素を備えたものである。
（Ａ）表示パネル
（Ｂ）表示パネルの背面を覆うと共に、周縁部に複数の第１ねじ孔を有する後部筐体
（Ｃ）表示パネルの前面周縁部を覆う前部、表示パネルの側面を覆う側部、および後部筐体の周縁部を覆う後部を有すると共に、後部に複数の第２ねじ孔を有し、第１ねじ孔と第２ねじ孔とが交互に配置されている枠
（Ｄ）枠の後部および後部筐体を覆うと共に、第１ねじ孔および第２ねじ孔に整合する第３ねじ孔を有する背面板
【０００７】
本開示の表示装置では、後部筐体の周縁部に複数の第１ねじ孔が設けられる一方、枠の後部に複数の第２ねじ孔が設けられている。第１ねじ孔と第２ねじ孔とは、表示パネルの背面側から見て、交互に配置されている。よって、追加の部品を介在させることなく、後部筐体と枠との両方を背面板に直接固定することが可能となり、薄型化が可能となる。また、表示パネルの前面周縁部は、枠の前部のみによって覆われており、枠の前部を覆う化粧用の部材などは不要となる。これにより狭額縁化および薄型化が可能となる。
【発明の効果】
【０００８】
本開示の表示装置によれば、後部筐体の周縁部の第１ねじ孔と、枠の後部の第２ねじ孔とを互い違いに配置すると共に、背面板に第１ねじ孔および第２ねじ孔に整合する第３ねじ孔を設けて、後部筐体および枠の後部を背面板に固定するようにしたので、薄型化と共に狭額縁化が可能となる。
【図面の簡単な説明】
【０００９】
【図１】本開示の一実施の形態に係る表示装置の外観を表す正面図である。
【図２】図１に示した本体部の構成を表す正面図，背面図および側面図である。
【図３】図２に示した本体部の背面の一部を、リアカバーを取り外して表す分解斜視図である。
【図４】図３に示したバックシャーシの第１ねじ孔と、これに整合するリアカバーの第３ねじ孔とを通る断面図である。
【図５】図３に示したフレームの後部の第２ねじ孔と、これに整合するリアカバーの第３ねじ孔とを通る断面図である。
【図６】図３に示したバックシャーシおよびフレームの一部を拡大して表す平面図である。
【図７】図２（Ａ）に示したフレームを分解して表す斜視図である。
【図８】表示装置の適用例１の外観を表す斜視図である。
【図９】適用例２の外観を表す斜視図である。
【図１０】（Ａ）は適用例３の表側から見た外観を表す斜視図であり、（Ｂ）は裏側から見た外観を表す斜視図である。
【図１１】適用例４の外観を表す斜視図である。
【図１２】適用例５の外観を表す斜視図である。
【図１３】（Ａ）は適用例６の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１０】
以下、本開示の実施の形態について図面を参照して詳細に説明する。
【００１１】
図１は、本開示の一実施の形態に係る表示装置の外観を表したものである。この表示装置１は、例えば薄型テレビジョン装置として用いられるものであり、画像表示のための平板状の本体部２をスタンド３により支持した構成を有している。本体部２は、例えば、液晶表示パネルにより構成されている。スタンド３は、例えば、ステンレス鋼などの金属製の丸型棒を逆Ｔ字形に屈曲させた構成を有している。なお、表示装置１は、スタンド３を本体部２に取付けた状態で、床，棚または台などの水平面に載置して据置型として用いられるが、スタンド３を本体部２から取り外した状態で壁掛型として用いることも可能である。
【００１２】
図２は、図１に示した本体部２の構成を表したものである。本体部２の正面には、図２（Ａ）に示したように、後述する液晶セル１１を含む表示パネル１０が最前面に配置されている。表示パネル１０の前面周縁部は、フレーム（枠）２０で覆われた額縁領域となっている。上辺および左右辺の額縁領域の幅ｗ１は、例えば４．９ｍｍである。下辺の額縁領域には、ＬＥＤ（Light Emitting Diode）などの光源を含む光学構造，インジケータおよび各種センサなどが搭載されており、その幅ｗ２は、例えば２６．７ｍｍである。
【００１３】
本体部２の背面は、図２（Ｂ）に示したように、リアカバー（背面板）３０で覆われている。リアカバー３０の中央下方には隆起部３０Ａが設けられており、この隆起部３０Ａの内側には、電源基板および信号基板（いずれも図示せず）が搭載されている。リアカバー３０の隆起部３０Ａ以外の上辺および左右辺の領域は、平坦な平面部３０Ｂとなっている。本体部２を側面から見ると、図２（Ｃ）に示したように、平面部３０Ｂの厚み（最薄部の厚み）ｔ１は、例えば８．９ｍｍであり、隆起部３０Ａの厚み（最厚部の厚み）ｔ２は、例えば２２ｍｍである。
【００１４】
このように表示装置１は、本体部２の額縁領域の最小幅ｗ１が４．９ｍｍ、最薄部の厚みｔ１が８．９ｍｍと、薄型化および狭額縁化の両立を実現したものである。以下、そのための具体的な構成について説明する。
【００１５】
図３は、図２に示した本体部２の背面の一部を、リアカバー３０を取り外して表したものである。本体部２は、例えば、上述した表示パネル１０と、バックシャーシ（後部筐体）４０と、上述したフレーム２０と、上述したリアカバー３０とを有している。
【００１６】
バックシャーシ４０は、表示パネル１０の背面を覆うほぼ平板状の部材であり、例えば、厚みが１ｍｍであり、アルミニウム（Ａｌ）などの金属板により構成されている。
【００１７】
フレーム２０は、例えば金属板により構成され、前部２１と、側部２２と、後部２３とからなる、矩形の三辺をなす断面形状を有している。前部２１は、図２（Ａ）にも示したように、表示パネル１０の前面周縁部を覆うことにより額縁領域を構成する部分であり、その厚みは例えば０．８ｍｍである。側部２２は、表示パネル１０の側面を覆うと共に、前部２１と後部２３とを連結する部分であり、その厚みは例えば０．８ｍｍである。後部２３は、バックシャーシ４０の周縁部を覆うと共に、以下に説明するようにリアカバー３０との締結が行われる部分であり、その厚みは例えば１．０ｍｍである。
【００１８】
リアカバー３０は、例えば、厚みが０．８ｍｍであり、鉄（Ｆｅ）などの金属よりなる平板状の部材により構成されている。リアカバー３０が従来の奥行きのある盆状ではなく平板であることにより、本体部２の薄型化が更に促進される。リアカバー３０は、フレーム２０の後部２３およびバックシャーシ４０を覆うと共にこれらに固定されている。
【００１９】
バックシャーシ４０の周縁部には、複数の第１ねじ孔４１が、間隔をあけて配置されている。一方、フレーム２０の後部２３には、複数の第２ねじ孔２４が設けられている。第１ねじ孔４１と第２ねじ孔２４とは、表示パネル１０の背面側（リアカバー３０側）から見て交互に配置されている。リアカバー３０は、第１ねじ孔４１および第２ねじ孔２４に整合する第３ねじ孔３１Ａ，３１Ｂを有している。これにより、この表示装置１では、薄型化と共に狭額縁化が可能となっている。
【００２０】
すなわち、第１ねじ孔４１と第２ねじ孔２４とが互い違いに配置されていることにより、追加の部品を介在させることなく、バックシャーシ４０とフレーム２０との両方をリアカバー３０に直接固定することが可能となり、薄型化が可能となる。また、表示パネル１０の前面周縁部は、フレーム２０の前部２１のみによって覆われており、前部２１を更に化粧用の部材で覆う必要はない。これにより狭額縁化および薄型化が可能となる。
【００２１】
図４は、バックシャーシ４０の第１ねじ孔４１と、これに整合するリアカバー３０の第３ねじ孔３１Ａとを通る断面を表したものである。図５は、フレーム２０の後部２３の第２ねじ孔２４と、これに整合するリアカバー３０の第３ねじ孔３１Ｂとを通る断面を表したものである。図６は、図３に示したバックシャーシ４０およびフレーム２０の一部を拡大して表したものである。
【００２２】
図４および図５に示したように、表示パネル１０は、例えば、最前面の側から順に、液晶層（図示せず）を有するセル１１と、拡散板等の光学シート１２と、導光板１３と、反射板１４とをこの順に有している。
【００２３】
図４および図６に示したように、第１ねじ孔４１は、バックシャーシ４０の隆起部４２に設けられており、フレーム２０の後部２３には、この隆起部４２を避ける切欠部２５が設けられている。これにより、第１ねじ孔４１がリアカバー３０の内側の面に直接接触するようになり、第１ねじ孔４１および第３ねじ孔３１Ａを用いてバックシャーシ４０とリアカバー３０とをねじ固定することが可能となる。
【００２４】
また、図５および図６に示したように、バックシャーシ４０には、フレーム２０の後部２３の第２ねじ孔２４の位置に、第２ねじ孔２４を避ける切欠部４３が設けられている。これにより、第２ねじ孔２４がリアカバー３０の内側の面に直接接触するようになり、第２ねじ孔２４および第３ねじ孔３１Ｂを用いてフレーム２０の後部２３とリアカバー３０とをねじ固定することが可能となる。
【００２５】
図３および図６に示したように、第１ねじ孔４１および第２ねじ孔２４は、一直線上に交互に配置されていることが好ましい。これにより作業性が良くなると共に美観も向上する。
【００２６】
図７は、図２（Ａ）ないし図６に示したフレーム２０を分解して表したものである。フレーム２０は、複数（例えば図７では四本）の分割枠２６を有している。これら複数の分割枠２６は、例えば表示パネル１０の外形が矩形などの多角形の場合には、表示パネル１０の辺ごとに分かれているが、表示パネル１０の外形線が円などの曲線やその他の不定形である場合には、表示パネル１０の外形線の適宜の部分ごとに分かれていてもよい。
【００２７】
複数の分割枠２６の各々は、図３ないし図５に示したように、前部２１，側部２２および後部２３により矩形の三辺をなす断面形状を有している。そのため、各分割枠２６は、図７において矢印Ａで示したように表示パネル１０の側方からスライドして、表示パネル１０およびバックシャーシ４０の端部に被せられるようになっている。分割枠２６のスライド装着を容易にするため、例えば図４に示したように、バックシャーシ４０の端部とフレーム２０の後部２３の内面との間には、例えば０．５ｍｍ程度の逃げ（クリアランス）４４が設けられていることが好ましい。
【００２８】
フレーム２０は、図３に示したように、コーナー（角）つまり分割枠２６どうしの境界線をリアカバー３０で裏打ちすることにより継ぎ合わされている。そのために、フレーム２０の後部２３には、フレーム２０のコーナーを固定するための第４ねじ孔２７が設けられている。一方、リアカバー３０には、第４ねじ孔２７に整合する第５ねじ孔３２が設けられている。第４ねじ孔２７および第５ねじ孔３２によりフレーム２０とリアカバー３０とをねじ固定することにより、分割枠２６を連結して枠形状にし、高剛性化することが可能となる。また、フレーム２０のコーナーを継ぎ合わせるための連結部品などは不要となるので、薄型化に寄与すると共に、工程の簡素化、部品数やコストの削減が可能となる。
【００２９】
第１ねじ孔４１および第２ねじ孔２４と第４ねじ孔２７とは、同じく図３に示したように、一直線上に整列して配置されていることが好ましい。これにより作業性が良くなると共に美観も向上する。
【００３０】
この表示装置１は、例えば、次のようにして製造することができる。
【００３１】
まず、セル１１，光学シート１２，導光板１３および反射板１４を組み立てて表示パネル１０を形成する。表示パネル１０の下辺には、ＬＥＤ等の光源を含む光学構造，インジケータおよび各種センサなどを搭載する。この表示パネル１０を、前面（表示面）側を下にして作業台（図示せず）に設置し、表示パネル１０の背面にバックシャーシ４０を取り付ける。バックシャーシ４０の所定の位置に、電源基板および信号基板（いずれも図示せず）などを搭載し、セル１１との接続を行う。
【００３２】
続いて、図７に示したように、フレーム２０の分割枠２６を矢印Ａに示したようにスライドさせて、表示パネル１０の四辺に被せる。これにより、フレーム２０の前部２１で表示パネル１０の前面周縁部を覆い、フレーム２０の側部２２で表示パネル１０の側面を覆い、フレーム２０の後部２３でバックシャーシ４０の周縁部を覆う。このとき、図４に示したように、バックシャーシ４０の端部とフレーム２０の後部２３の内面との間に、例えば０．５ｍｍ程度の逃げ４４が設けられているので、フレーム２０のスライド装着を容易に行うことが可能となる。
【００３３】
そののち、図３ないし図５に示したように、フレーム２０の後部２３とバックシャーシ４０との上にリアカバー３０を載せて、第１ねじ孔４１および第３ねじ孔３１Ａを用いてバックシャーシ４０とリアカバー３０とをねじ固定し、第２ねじ孔２４および第３ねじ孔３１Ｂを用いてフレーム２０とリアカバー３０とをねじ固定する。
【００３４】
ここでは、図３および図６に示したように、第１ねじ孔４１と第２ねじ孔２４とが交互に配置されていることにより、追加の部品を介在させることなく、バックシャーシ４０とフレーム２０との両方をリアカバー３０に直接固定することが可能となり、薄型化が可能となる。また、固定のためのねじ止め作業はすべて本体部２の裏面で行うことが可能となり、作業効率が格段に向上する。更に、表示パネル１０の前面周縁部は、フレーム２０の前部２１のみによって覆われており、フレーム２０の前部２１を覆う化粧用の部材などは不要となる。これにより更に薄型化および狭額縁化が可能となる。
【００３５】
また、バックシャーシ４０，フレーム２０およびリアカバー３０の三つの部品を相互に固定することにより、狭額縁化・薄型化しても高剛性を確保することが可能となる。よって、本体部２全体の強度が高くなり、折れ曲がりなどの変形が起こりにくくなる。従って、薄型梱包材を用いた輸送が可能となり、補強板などをあてがう必要もなく、輸送効率が向上すると共に輸送コストが削減される。
【００３６】
更に、図３および図６に示したように、第１ねじ孔４１および第２ねじ孔２４が一直線上に交互に配置されているので、作業性が良くなると共に美観も向上する。
【００３７】
フレーム２０，リアカバー３０およびバックシャーシ４０は、リアカバー３０の内側の面を基準面Ｄ（datum）として固定される。すなわち、図５に示したように、第２ねじ孔２４および第３ねじ孔３１Ｂを用いてフレーム２０とリアカバー３０とをねじ固定することにより、リアカバー３０の内側の面とフレーム２０の前部２１の内側の面との間の距離Ｄａが規定される。また、図４に示したように、第１ねじ孔４１および第３ねじ孔３１Ａを用いてバックシャーシ４０とリアカバー３０とをねじ固定することにより、バックシャーシ４０の内側の面とセル１１の外側の面との間の距離Ｄｂが、表示パネル１０の厚み（つまり、セル１１，光学シート１２，導光板１３および反射板１４の合計厚み）に等しくなる。これにより、表示パネル１０およびバックシャーシ４０の端部はフレーム２０内で緩やかに保持され、セル１１は重力により下辺でフレーム２０に当接していることを除いては、どこにも強制的に固定されておらず、自然に起立した状態となっている。従って、セル１１をフレーム２０にねじ止め等で直接強固に固定しなくても、フレーム２０内で表示パネル１０およびバックシャーシ４０が揺れ動いてしまうおそれがなくなる。よって、セル１１への機械的ストレスが低減され、セル１１への機械的ストレスによる光学的なむら（いわゆる「白むら」）が抑えられる。
【００３８】
更に、図３に示したように、第４ねじ孔２７および第５ねじ孔３２を用いてフレーム２０のコーナーをリアカバー３０に固定する。これにより、分割枠２６が連結されて枠形状のフレーム２０となり、高剛性化する。
【００３９】
このとき、同じく図３に示したように、第１ねじ孔４１および第２ねじ孔２４と第４ねじ孔２７とが一直線上に整列して配置されているので、作業性が良くなると共に美観も向上する。
【００４０】
このようにして、図２に示した本体部２が形成される。最後に、本体部２の背面にスタンド３を取り付けることにより、図１に示した表示装置１が完成する。
【００４１】
このように本実施の形態では、バックシャーシ４０の周縁部の第１ねじ孔４１と、フレーム２０の後部２３の第２ねじ孔２４とを互い違いに配置すると共に、リアカバー３０に第１ねじ孔４１および第２ねじ孔２４に整合する第３ねじ孔３１Ａ，３１Ｂを設けて、バックシャーシ４０およびフレーム２０の後部２３をリアカバー３０に固定するようにしたので、薄型化と狭額縁化との両立が可能となる。また、バックシャーシ４０，フレーム２０およびリアカバー３０の三つの部品を相互に固定することにより、本体部２の強度を犠牲にすることなく、高剛性を確保しながら狭額縁化・薄型化が可能となる。
【００４２】
（適用例）
続いて、図８ないし図１２を参照して、表示装置１の適用例について説明する。表示装置１は、テレビジョン装置，デジタルカメラ，ノート型パーソナルコンピュータ、携帯電話やスマートホン等の携帯端末装置あるいはビデオカメラなどのあらゆる分野の電子機器に適用することが可能である。言い換えると、この表示装置１は、外部から入力された映像信号あるいは内部で生成した映像信号を、画像あるいは映像として表示するあらゆる分野の電子機器に適用することが可能である。
【００４３】
（適用例１）
図８（Ａ）および図８（Ｂ）はそれぞれ、表示装置１が適用される電子ブックの外観を表したものである。この電子ブックは、例えば、表示部２１０および非表示部２２０を有しており、この表示部２１０が表示装置１により構成されている。
【００４４】
（適用例２）
図９は、表示装置１が適用されるスマートフォンの外観を表したものである。このスマートフォンは、例えば、表示部３１０および非表示部３２０を有しており、この表示部３１０が表示装置１により構成されている。
【００４５】
（適用例３）
図１０は、表示装置１が適用されるデジタルカメラの外観を表したものである。このデジタルカメラは、例えば、フラッシュ用の発光部４１０、表示部４２０、メニュースイッチ４３０およびシャッターボタン４４０を有しており、この表示部４２０が表示装置１により構成されている。
【００４６】
（適用例４）
図１１は、表示装置１が適用されるノート型パーソナルコンピュータの外観を表したものである。このノート型パーソナルコンピュータは、例えば、本体５１０，文字等の入力操作のためのキーボード５２０および画像を表示する表示部５３０を有しており、この表示部５３０が表示装置１により構成されている。
【００４７】
（適用例５）
図１２は、表示装置１が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有している。そして、この表示部６４０が表示装置１により構成されている。
【００４８】
（適用例６）
図１３は、表示装置１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そして、これらのうちのディスプレイ７４０またはサブディスプレイ７５０が、表示装置１により構成されている。
【００４９】
以上、実施の形態を挙げて本開示を説明したが、本開示は上記実施の形態に限定されるものではなく、種々の変形が可能である。例えば、上記実施の形態では、フレーム２０が、複数（例えば図７では四本）の分割枠２６を有し、複数の分割枠２６の各々は、図３ないし図５に示したように、前部２１，側部２２および後部２３により矩形の三辺をなす断面形状を有している場合について説明した。このようなフレーム２０の構成は、上記実施の形態のようにバックシャーシ４０の第１ねじ孔４１と、フレーム２０の後部２３の第２ねじ孔２４とが交互に配置され、リアカバー３０に第１ねじ孔４１および第２ねじ孔２４に整合する第３ねじ孔３１Ａ，３１Ｂが設けられている場合のみでなく、リアカバー３０およびバックシャーシ４０が上記実施の形態とは異なる他の構成を有している場合にも適用可能なものである。
【００５０】
また、例えば、上記実施の形態において説明した各層の材料および厚みなどは限定されるものではなく、他の材料および厚みとしてもよい。
【００５１】
更に、例えば、上記実施の形態において表示装置（テレビジョン装置）の構成を具体的に挙げて説明したが、全ての構成要素を備える必要はなく、また、他の構成要素を更に備えていてもよい。
【００５２】
なお、本技術は以下のような構成を取ることも可能である。
（１）
表示パネルと、
前記表示パネルの背面を覆うと共に、周縁部に複数の第１ねじ孔を有する後部筐体と、
前記表示パネルの前面周縁部を覆う前部、前記表示パネルの側面を覆う側部、および前記後部筐体の周縁部を覆う後部を有すると共に、前記後部に複数の第２ねじ孔を有し、前記第１ねじ孔と前記第２ねじ孔とが交互に配置されている枠と、
前記枠の後部および前記後部筐体を覆うと共に、前記第１ねじ孔および前記第２ねじ孔に整合する第３ねじ孔を有する背面板と
を備えた表示装置。
（２）
前記枠は、複数の分割枠を有し、
前記複数の分割枠の各々は、前記前部，前記側部および前記後部により矩形の三辺をなす断面形状を有する
前記（１）記載の表示装置。
（３）
前記後部筐体の端部と前記枠の後部の内面との間に逃げが設けられている
前記（２）記載の表示装置。
（４）
前記後部筐体は、前記第１ねじ孔が設けられた隆起部と、前記枠の後部の前記第２ねじ孔の位置に設けられた切欠部とを有し、
前記枠の後部は、前記後部筐体の隆起部の位置に切欠部を有する
前記（１）ないし（３）のいずれか１項に記載の表示装置。
（５）
前記第１ねじ孔および前記第２ねじ孔は、一直線上に交互に配置されている
前記（１）ないし（４）のいずれか１項に記載の表示装置。
【符号の説明】
【００５３】
１０…表示パネル、１１…液晶セル、１２…光学シート、１３…導光板、１４…反射板、２０…フレーム、２１…前部、２２…側部、２３…後部、２４…第２ねじ孔、２５…切欠部、２６…分割枠、２７…第４ねじ孔、３０…リアカバー、３１Ａ，３１Ｂ…第３ねじ孔、３２…第５ねじ孔、４０…バックシャーシ、４１…第１ねじ孔、４２…隆起部、４３…切欠部、４４…逃げ。
【図１】
2013011676.tif 000003
【図２】
2013011676.tif 000004
【図３】
2013011676.tif 000005
【図４】
2013011676.tif 000006
【図５】
2013011676.tif 000007
【図６】
2013011676.tif 000008
【図７】
2013011676.tif 000009
【図８】
2013011676.tif 000010
【図９】
2013011676.tif 000011
【図１０】
2013011676.tif 000012
【図１１】
2013011676.tif 000013
【図１２】
2013011676.tif 000014
【図１３】
2013011676.tif 000015